(57)【要約】  濾過対象物の濾過効率を向上させることができる濾過フィルタデバイスを提供する。本発明に係る濾過フィルタデバイス（１）は、流体に含まれる濾過対象物を濾過する濾過フィルタ（２）と、濾過フィルタ（２）を内包し、濾過フィルタ（２）の一方の主面（２ａ）に対向するように設けられた流体流入路（３１ａ）と、濾過フィルタ（２）の他方の主面（２ｂ）に対向するように設けられた流体排出路（３２ａ）とを有するハウジング（３）とを備える。流体流入路（３１ａ）及び流体排出路（３２ａ）の少なくとも一方の内周面（３１ｂ，３２ｂ）には、周方向に波状の凹凸（３１ｃ）が設けられている。
2017141610.tif 000002
【特許請求の範囲】
【請求項１】
流体に含まれる濾過対象物を濾過する濾過フィルタと、
前記濾過フィルタを内包し、前記濾過フィルタの一方の主面に対向するように設けられた流体流入路と、前記濾過フィルタの他方の主面に対向するように設けられた流体排出路とを有するハウジングと、
を備える濾過フィルタデバイスであって、
前記流体流入路及び前記流体排出路の少なくとも一方の内周面には、周方向に波状の凹凸が設けられている、
濾過フィルタデバイス。
【請求項２】
前記波状の凹凸は、少なくとも前記濾過フィルタに接する部分に設けられている、請求項１に記載の濾過フィルタデバイス。
【請求項３】
前記波状の凹凸は、畝部と谷部とが交互に繰り返されることにより形成され、
前記畝部及び前記谷部は、前記流体の流れ方向に沿うように形成されている、
請求項１又は２に記載の濾過フィルタデバイス。
【請求項４】
前記畝部と前記谷部の配置間隔は、前記濾過対象物の平均粒子径より小さい、請求項３に記載の濾過フィルタデバイス。
【請求項５】
前記畝部と前記谷部の配置間隔は、前記濾過フィルタに設けられた前記濾過対象物を濾過するための貫通孔の間隔以下である、請求項３に記載の濾過フィルタデバイス。
【請求項６】
前記谷部は、前記濾過フィルタに設けられた前記濾過対象物を濾過するための貫通孔に対応する位置に設けられている、請求項３に記載の濾過フィルタデバイス。
【請求項７】
前記流体流入路及び前記流体排出路の少なくとも一方は、複数の流路に区画され、
前記複数の流路の少なくとも１つの内周面には、周方向に波状の凹凸が設けられている、請求項１〜６にいずれか１つに記載の濾過フィルタデバイス。
【発明の詳細な説明】
【技術分野】
【０００１】
本発明は、流体に含まれる濾過対象物を濾過する濾過フィルタデバイスに関する。
【背景技術】
【０００２】
従来、この種の濾過フィルタデバイスとして、例えば、特許文献１に記載されたものが知られている。特許文献１には、流体に含まれる濾過対象物を濾過する濾過フィルタと、濾過フィルタを内包するハウジングとを備える濾過フィルタデバイスが記載されている。ハウジングには、濾過フィルタの一方の主面に対向するように流体流入路が設けられるとともに、濾過フィルタの他方の主面に対向するように流体排出路が設けられている。
【先行技術文献】
【特許文献】
【０００３】
【特許文献１】特開２０１１−１７３０５４号
【発明の概要】
【発明が解決しようとする課題】
【０００４】
しかしながら、従来の濾過フィルタデバイスによれば、濾過対象物の濾過効率を向上させる観点において、未だ改善の余地がある。【０００５】
本発明の目的は、前記課題を解決することにあって、濾過対象物の濾過効率を向上させることができる濾過フィルタデバイスを提供することにある。
【課題を解決するための手段】
【０００６】
前記目的を達成するために、本発明の一態様に係る濾過フィルタデバイスは、
流体に含まれる濾過対象物を濾過する濾過フィルタと、
前記濾過フィルタを内包し、前記濾過フィルタの一方の主面に対向するように設けられた流体流入路と、前記濾過フィルタの他方の主面に対向するように設けられた流体排出路とを有するハウジングと、
を備える濾過フィルタデバイスであって、
前記流体流入路及び前記流体排出路の少なくとも一方の内周面には、周方向に波状の凹凸が設けられていることを特徴とする。
【発明の効果】
【０００７】
本発明によれば、濾過対象物の濾過効率を向上させることができる濾過フィルタデバイスを提供することができる。
【図面の簡単な説明】
【０００８】
【図１】本発明の実施の形態に係る濾過フィルタデバイスの概略構成を示す断面図である。
【図２】図１のＡ１−Ａ１線断面図である。
【図３】濾過フィルタの概略構成を示す一部拡大斜視図である。
【図４】流体流入路の内周面と濾過フィルタとの接触部分を示す一部拡大平面図である。
【図５】流体流入路又は流体排出路の変形例を示す斜視図である。
【図６】比較例に係る濾過フィルタデバイスの概略構成を示す断面図である。
【発明を実施するための形態】
【０００９】
（本発明の基礎となった知見）
本発明者らは、濾過対象物の濾過効率を向上させるために鋭意検討した結果、以下の知見を得た。
【００１０】
通常、濾過対象物を含む流体が濾過フィルタを通過するとき、濾過フィルタが抵抗になり、濾過フィルタに近づくにつれて流体の速度が遅くなる。このため、濾過フィルタの近傍に濾過対象物が溜まり易くなる。
【００１１】
本発明者らは、従来の濾過フィルタデバイスの流体流入路から流体を流入させて濾過を行った場合、流体流入路の内周面に濾過対象物が付着し、当該濾過対象物により流体の流れが阻害され、濾過効率が低下することを知見した。また、流体排出路の内周面に濾過フィルタを通過した物質が付着し、当該物質により流体の流れが阻害され、濾過効率が低下することを知見した。さらに、濾過フィルタの中央部に濾過対象物が集中しやすく、当該中央部に集中した濾過対象物により流体の流れが阻害され、濾過効率が低下することを知見した。
【００１２】
本発明者らは、これらの新規な知見に基づき鋭意検討した結果、流体流入路及び流体排出路の少なくとも一方の内周面に周方向に波状の凹凸を設けることで、当該内周面に濾過対象物が付着することを抑えられることを見出した。また、前記波状の凹凸を設けることで、濾過フィルタによって反射して波状の凹凸に衝突した流体の流れ方向のバリエーションを増加させて、流体流入路又は流体排出路内に渦流又は乱流を発生させ、濾過フィルタの中央部に濾過対象物が集中することを抑えられることを見出した。
【００１３】
これらの点を踏まえて、本発明者らは、以下の発明に至った。
【００１４】
本発明の一態様に係る濾過フィルタデバイスは、
流体に含まれる濾過対象物を濾過する濾過フィルタと、
前記濾過フィルタを内包し、前記濾過フィルタの一方の主面に対向するように設けられた流体流入路と、前記濾過フィルタの他方の主面に対向するように設けられた流体排出路とを有するハウジングと、
を備える濾過フィルタデバイスであって、
前記流体流入路及び前記流体排出路の少なくとも一方の内周面には、周方向に波状の凹凸が設けられていることを特徴とする。
【００１５】
この構成によれば、流体流入路及び流体排出路の少なくとも一方の内周面に周方向に波状の凹凸を設けているので、当該内周面に濾過対象物が付着することを抑えるとともに、濾過フィルタの中央部に濾過対象物が集中することを抑えることができる。従って、濾過効率を向上させることができる。
【００１６】
なお、前記波状の凹凸は、少なくとも前記濾過フィルタに接する部分に設けられることが好ましい。この構成によれば、濾過対象物の付着をより効果的に抑えることができ、濾過効率を向上させることができる。
【００１７】
また、前記波状の凹凸は、畝部と谷部とが交互に繰り返されることにより形成され、前記畝部及び前記谷部は、前記流体の流れ方向に沿うように形成されることが好ましい。この構成によれば、畝部及び谷部による流体の圧力損失を抑えることができ、濾過効率を向上させることができる。
【００１８】
また、前記畝部と前記谷部の配置間隔は、前記濾過対象物の平均粒子径より小さいことが好ましい。この構成によれば、濾過対象物が谷部に入り込むことを抑えることができ、濾過対象物と前記内周面との接触面積を小さくすることができる。その結果、前記内周面に濾過対象物が付着することを一層抑えることができる。
【００１９】
また、前記畝部と前記谷部の配置間隔は、前記濾過フィルタに設けられた前記濾過対象物を濾過するための貫通孔の間隔以下であることが好ましい。当該濾過フィルタに設けられた貫通孔は、濾過対象物を濾過するために、濾過対象物の平均粒子径よりも幅が小さく設定されるものである。従って、この構成によれば、濾過対象物が谷部に入り込むことをより確実に抑えることができ、前記内周面に濾過対象物が付着することを一層抑えることができる。
【００２０】
また、前記谷部は、前記濾過フィルタに設けられた前記濾過対象物を濾過するための貫通孔に対応する位置に設けられることが好ましい。この構成によれば、畝部を貫通孔に対応する位置に設ける場合よりも、濾過フィルタにおける開口面積を拡大することができ、濾過効率を向上させることができる。
【００２１】
また、前記流体流入路及び前記流体排出路の少なくとも一方は、複数の流路に区画され、前記複数の流路の少なくとも１つの内周面には、周方向に波状の凹凸が設けられることが好ましい。この構成によれば、１つの流路の流路面積は流体流入路又は流体排出路の流路面積よりも小さくなるので、波状の凹凸による影響を大きくすることができる。これにより、流路の内周面に濾過対象物が付着することを抑えるとともに、濾過フィルタの中央部に濾過対象物が集中することを抑えることができる。従って、濾過効率を向上させることができる。
【００２２】
以下、本発明の実施形態について、図面を参照しながら説明する。
【００２３】
（実施の形態）
本実施の形態に係る濾過フィルタデバイスの構成について説明する。図１は、本発明の実施の形態に係る濾過フィルタデバイスの概略構成を示す断面図である。
【００２４】
図１に示すように、本実施の形態に係る濾過フィルタデバイス１は、濾過フィルタ２と、当該濾過フィルタ２を内包するハウジング３と、を備えている。
【００２５】
ハウジング３は、第１ハウジング部３１と第２ハウジング部３２とを備えている。第１ハウジング部３１と第２ハウジング部３２は、例えば互いに嵌合することで、それらの間で濾過フィルタ２の外周部を保持するように構成されている。第１ハウジング部３１には、濾過フィルタ２の一方の主面２ａに対向するように流体流入路３１ａが設けられている。流体流入路３１ａは、濾過フィルタ２の外周部を除く全体に流体が供給されるように、濾過フィルタ２の一方の主面２ａに面する部分Ｓ１が拡大されている。第２ハウジング部３２には、濾過フィルタ２の他方の主面２ｂに対向するように流体排出路３２ａが設けられている。流体排出路３２ａは、濾過フィルタ２の外周部を除く全体を通過した流体を排出できるように、濾過フィルタ２の他方の主面２ｂに面する部分Ｓ２が拡大されている。
【００２６】
濾過対象物を含む流体は、流体流入路３１ａを通じて濾過フィルタ２に供給され、濾過フィルタ２により濾過対象物を濾過されて、流体排出路３２ａを通じて濾過フィルタデバイス１の外部に排出される。
【００２７】
本実施の形態において、濾過対象物は、液体に含まれる生物由来物質である。本明細書において、「生物由来物質」とは、細胞（真核生物）、細菌（真性細菌）、ウィルス等の生物に由来する物質を意味する。細胞（真核生物）としては、例えば、卵、精子、人工多能性幹細胞（ｉＰＳ細胞）、ＥＳ細胞、幹細胞、間葉系幹細胞、単核球細胞、単細胞、細胞塊、浮遊性細胞、接着性細胞、神経細胞、白血球、リンパ球、再生医療用細胞、自己細胞、がん細胞、血中循環がん細胞（ＣＴＣ）、ＨＬ−６０、ＨＥＬＡ、菌類を含む。細菌（真性細菌）としては、例えば、グラム陽性菌、グラム陰性菌、大腸菌、結核菌を含む。ウィルスとしては、例えば、ＤＮＡウィルス、ＲＮＡウィルス、ロタウィルス、（鳥）インフルエンザウィルス、黄熱病ウィルス、デング熱病ウィルス、脳炎ウィルス、出血熱ウィルス、免疫不全ウィルスを含む。
【００２８】
図２は、図１のＡ１−Ａ１線断面図である。図２に示すように、流体流入路３１ａの内周面３１ｂには、周方向に波状（カーテン状）の凹凸３１ｃが設けられている。本実施の形態において、波状の凹凸３１ｃは、滑らかな形状（サインカーブ）を有するように形成されている。また、波状の凹凸３１ｃは、畝部３１ｄと谷部３１ｅとが交互に繰り返されることにより形成されている。本実施の形態において、畝部３１ｄ及び谷部３１ｅは、流体の流れを阻害しないように、流体の流れ方向に沿うように形成されている。すなわち、畝部３１ｄ及び谷部３１ｅは、濾過フィルタ２の主面２ａ，２ｂに対して交差方向（例えば、直交方向）に延在するように形成されている。
【００２９】
図３は、濾過フィルタ２の概略構成を示す一部拡大斜視図である。図３に示すように、濾過フィルタ２は、流体に含まれる濾過対象物を濾過する金属製多孔膜２１を備えている。
【００３０】
金属製多孔膜２１は、図３に示すように、互いに対向する一対の主面２１ａ，２１ｂを有している。金属製多孔膜２１には、両主面２１ａ，２１ｂを貫通する複数の貫通孔２１ｃが設けられている。貫通孔２１ｃは、液体から生物由来物質を分離するものである。貫通孔２１ｃの形状及び寸法は、生物由来物質の形状、大きさに応じて適宜設定されるものである。貫通孔２１ｃは、例えば、等間隔又は周期的に配置される。貫通孔２１ｃの形状は、例えば、金属製多孔膜２１の主面２１ａ側から見て正方形である。本実施の形態において、貫通孔２１ｃは、正方格子状に配列されている。貫通孔２１ｃのサイズは、例えば、縦０．１μｍ以上５００μｍ以下、横０．１μｍ以上５００μｍ以下である。貫通孔２１ｃ間の間隔は、例えば、貫通孔２１ｃの１倍よりも大きく１０倍以下であり、より好ましくは３倍以下である。また、金属製多孔膜２１における貫通孔２１ｃの開口率は、例えば、１０％以上である。
【００３１】
金属製多孔膜２１の材料としては、例えば、金、銀、銅、ニッケル、ステンレス鋼、パラジウム、チタン、及びこれらの合金が挙げられる。金属製多孔膜２１の寸法は、例えば、直径８ｍｍ、厚さ０．１μｍ以上１００μｍ以下である。金属製多孔膜２１の外形は、例えば、円形、楕円形、又は多角形である。本実施の形態においては、金属製多孔膜２１の外形は、円形とする。金属製多孔膜２１の外周部には、貫通孔２１ｃが設けられても、貫通孔２１ｃが設けられなくてもよい。
【００３２】
図４は、流体流入路３１ａの内周面３１ｂと濾過フィルタ２との接触部分を示す一部拡大平面図である。本実施の形態において、畝部３１ｄは、貫通孔２１ｃを画定する金属製多孔膜２１の網部分に対応する位置に設けられている。谷部３１ｅは、貫通孔２１ｃに対応する位置に設けられている。すなわち、谷部３１ｅは、平面視において貫通孔２１ｃと重なる位置に設けられている。また、畝部３１ｄ及び谷部３１ｅは、貫通孔２１ｃの間隔と同等の配置間隔Ｐ１，Ｐ２で設けられている。ここで、「貫通孔２１ｃの間隔」とは、任意の孔と隣接する孔の重心間の距離をいう。すなわち、畝部３１ｄ及び谷部３１ｅは、貫通孔２１ｃの間隔と同等の配置間隔で設けられている。また、畝部３１ｄの頂部から谷部３１ｅの底部までの高さ（長さ）Ｄ１は、濾過対象物の平均粒子径よりも小さく設定されている。
【００３３】
また、本実施の形態において、図１に示す流体排出路３２ａの内周面３２ｂには、流体流入路３１ａの内周面３１ｂと同様に、周方向に波状の凹凸（図示せず）が設けられている。当該波状の凹凸は、流体流入路３１ａの内周面３１ｂに設けられる波状の凹凸３１ｃと同様であるので、説明は省略する。
【００３４】
本実施の形態によれば、流体流入路３１ａの内周面３１ｂに、周方向に波状の凹凸３１ｃが設けられている。この構成によれば、当該内周面３１ｂに濾過対象物が付着することを抑えるとともに、濾過フィルタ２の中央部に濾過対象物が集中することを抑えることができる。従って、濾過効率を向上させることができる。
【００３５】
また、本実施の形態によれば、流体排出路３２ａの内周面３２ｂに、周方向に波状の凹凸が設けられている。この構成によれば、濾過フィルタ２を通過した流体に含まれる物質が流体排出路３２ａの内周面３２ｂに付着するのを抑えることができる。
【００３６】
なお、流体流入路３１ａの内周面３１ｂの波状の凹凸３１ｃ及び流体排出路３２ａの内周面３２ｂの波状の凹凸３１ｃは、少なくとも濾過フィルタ２に接する部分（例えば、濾過対象物が付着し易い濾過フィルタ２の近傍）にのみ設けてもよい。この構成によれば、濾過対象物の付着をより効果的に抑えることができる。
【００３７】
また、本実施の形態によれば、波状の凹凸３１ｃが畝部３１ｄと谷部３１ｅとが交互に繰り返されることにより形成され、畝部３１ｄ及び谷部３１ｅが流体の流れ方向に沿うように形成されている。この構成によれば、畝部３１ｄ及び谷部３１ｅによる流体の圧力損失を抑えることができ、濾過効率を向上させることができる。
【００３８】
また、本実施の形態によれば、畝部３１ｄ及び谷部３１ｅが、貫通孔２１ｃの間隔と同等の配置間隔Ｐ１，Ｐ２で設けられている。貫通孔２１ｃは、濾過対象物を濾過するための孔であるので、濾過対象物の平均粒子径よりも小さく形成されるものである。このため、畝部３１ｄ及び谷部３１ｅの配置間隔Ｐ１，Ｐ２を貫通孔２１ｃの間隔と同等にすることで、濾過対象物が谷部３１ｅに入り込むことを抑えることができ、濾過対象物と内周面３１ｂとの接触面積を小さくすることができる。その結果、流体流入路３１ａの内周面３１ｂに濾過対象物が付着することを一層抑えることができる。
【００３９】
また、本実施の形態によれば、谷部３１ｅが、濾過フィルタ２の貫通孔２１ｃに対応する位置に設けられている。この構成によれば、畝部３１ｄを貫通孔２１ｃに対応する位置に設ける場合よりも、濾過フィルタ２における開口面積を拡大することができ、濾過効率を向上させることができる。
【００４０】
なお、畝部３１ｄ及び谷部３１ｅの配置間隔Ｐ１，Ｐ２は、濾過対象物の平均粒子径よりも小さくすればよい。これにより、濾過対象物が谷部３１ｅに入り込むことを抑えることができ、内周面３１ｂに濾過対象物が付着することを一層抑えることができる。なお、好ましくは、畝部３１ｄ及び谷部３１ｅの配置間隔Ｐ１，Ｐ２は、貫通孔２１ｃの間隔以下にすればよい。これにより、内周面３１ｂに濾過対象物が付着することをより一層抑えることができる。
【００４１】
なお、本発明は前記実施の形態に限定されるものではなく、その他種々の態様で実施できる。例えば、前記では、濾過対象物が液体に含まれる生物由来物質であるとしたが、本発明はこれに限定されない。濾過対象物は、気体に含まれる物質であってもよい。すなわち、濾過対象物は、流体に含まれる物質であればよく、例えば、空気中に含まれるＰＭ２．５であってもよい。
【００４２】
また、前記実施の形態では、金属製多孔膜２１は、液体から生物由来物質を濾過するために使用されるものとしたが、本発明はこれに限定されない。例えば、金属製多孔膜２１は、液体を濃縮するために使用されてもよい。
【００４３】
また、前記実施の形態では、流体流入路３１ａ及び流体排出路３２ａの濾過フィルタ２の主面２ａ，２ｂに面する部分Ｓ１，Ｓ２を拡大したが、本発明はこれに限定されない。例えば、流体流入路３１ａ及び流体排出路３２ａは、流路面積が一様な流路であってもよい。
【００４４】
また、前記実施の形態では、流体流入路３１ａ及び流体排出路３２ａの両方の内周面３１ｂ，３２ｂに波状の凹凸を設けたが、本発明はこれに限定されない。流体流入路３１ａ及び流体排出路３２ａのいずれか一方の内周面３１ｂ，３２ｂに波状の凹凸を設けてもよい。また、畝部３１ｄ及び谷部３１ｅの配置間隔Ｐ１，Ｐ２は、流体流入路３１ａ側と流体排出路３２ａ側とで同じであってもよいし、異なってもよい。また、畝部２２ｄ及び谷部２２ｅの配置間隔Ｐ１，Ｐ２は、周方向において一定でなくてもよい。また、畝部２２ｄ及び谷部２２ｅの間隔は、流体の流れ方向において変化してもよい。
【００４５】
また、前記実施の形態では、流体流入路３１ａ及び流体排出路３２ａがそれぞれ１つの環状の流路であるとしたが、本発明はこれに限定されない。流体流入路３１ａ及び流体排出路３２ａの少なくとも一方は、複数の流路に区画されてもよい。例えば、流体流入路３１ａ及び流体排出路３２ａの少なくとも一方は、図５に示すように、複数の環状部材５０により構成されてもよい。また、この場合、複数の環状部材５０の少なくとも１つの内周面に、周方向に波状の凹凸を設ければよい。この構成によれば、１つの環状部材５０の流路面積は流体流入路３１ａ又は流体排出路３２ａの流路面積よりも小さくなるので、波状の凹凸による影響を大きくすることができる。これにより、環状部材５０の内周面に濾過対象物が付着することを抑えるとともに、濾過フィルタ２の中央部に濾過対象物が集中することを抑えることができる。従って、濾過効率を向上させることができる。
【００４６】
（実施例）
次に、実施例に係る濾過フィルタについて説明する。
【００４７】
まず、図１に示すように、濾過フィルタ２の外周部を保持するように、第１ハウジング部３１と第２ハウジング部３２を嵌合させ、実施例に係る濾過フィルタデバイスを作製した。
【００４８】
なお、第１ハウジング部３１及び第２ハウジング部３２は、ポリアセタールをマシニング加工することにより作製した。第１ハウジング部３１及び第２ハウジング部３２の流体の流れ方向から見た外形は円形とした。流体流入路３１ａの流入口側の直径は２ｍｍとし、流体流入路３１ａの濾過フィルタ２の一方の主面２ａに面する部分Ｓ１の直径は６ｍｍとした。流体排出路３２ａの濾過フィルタ２の他方の主面２ｂに面する部分Ｓ２の直径は６ｍｍとし、流体排出路３２ａの流出口側の直径は２ｍｍとした。流体流入路３１ａの流入口から流体排出路３２ａの流出口までの長さは６ｍｍとした。流体の流れ方向における部分Ｓ１及び部分Ｓ２の合計長さは約４ｍｍとした。流体流入路３１ａ側の波状の凹凸３１ｃ及び流体排出路３２ａ側の波状の凹凸は、滑らかな形状（サインカーブ）を有するように、マシニング加工により形成した。畝部３１ｄと谷部３１ｅとの高低差は１００μｍとした。畝部３１ｄ及び谷部３１ｅの配置間隔Ｐ１，Ｐ２は１００μｍとした。
【００４９】
また、濾過フィルタ２は、流体の流れ方向に対して主面２ａが直交するように配置した。濾過フィルタ２の金属製多孔膜２１は、厚み１．０μｍのニッケル製の多孔膜とした。金属製多孔膜２１の外形は、直径７．８ｍｍの円形とした。金属製多孔膜２１の中央部を中心として直径６ｍｍの領域には、複数の貫通孔２１ｃを正方格子状に設けた。貫通孔２１ｃの外形は、一辺が１．９μｍの正方形とした。貫通孔２１ｃの配置間隔（格子間隔）は、２．６μｍとした。
【００５０】
この実施例に係る濾過フィルタデバイスを用いて、細胞ＨＬ−６０を１×１０５個含む１ｍｌのＰＢＳ溶液（リン酸緩衝生理食塩水）を濾過し、濾過フィルタ２を透過した溶液（以下、濾液という）を回収した。細胞ＨＬ−６０は、浮遊状態で概球形を有し、平均粒子径は約１１μｍであった。濾過は、ＰＢＳ溶液の自重によるデッドエンド方式の濾過とした。濾過時間は約２０分を要した。
【００５１】
その後、実施例に係る濾過フィルタデバイスに対して、逆方向から１ｍｌのＰＢＳ溶液を投入し、濾過フィルタ２を透過した溶液（以下、回収液という）を回収した。
【００５２】
その後、濾過フィルタ２を透過した濾液及び回収液の量と、当該濾液及び回収液に含まれる細胞数を測定した。
【００５３】
その結果、濾液の量は０．８ｍｌであり、濾液に含まれる細胞数は５×１０２個以下であった。一方、回収液の量は１．２ｍｌであり、回収液に含まれる細胞数は、０．９３×１０５個であった。これにより、濾過前のＰＢＳ溶液に対して、濃縮率が０．８３倍であり、細胞回収率が７３％であることを確認した。
【００５４】
その後、実施例に係る濾過フィルタデバイスを分解して、濾過フィルタ２、流体流入路３１ａの内周面３１ｂ、流体排出路３２ａの内周面３２ｂを顕微鏡で観察した。
【００５５】
その結果、濾過フィルタ２の複数の貫通孔２１ｃに細胞が捕捉されていることを観察した。一方、流体流入路３１ａの内周面３１ｂ及び流体排出路３２ａの内周面３２ｂには、細胞の付着が観察されなかった。
【００５６】
（比較例）
流体流入路３１ａの内周面３１ｂ及び流体排出路３２ａの内周面３２ｂが一様（波状の凹凸が無い）であること以外は、実施例に係る濾過フィルタデバイス１と同様の構成を有する比較例に係る濾過フィルタデバイスを作製した。図６は、当該比較例に係る濾過フィルタデバイスの概略構成を示す断面図である。
【００５７】
この比較例に係る濾過フィルタデバイスを用いて、実施例と同じ条件で、細胞ＨＬ−６０を１×１０５個含む１ｍｌのＰＢＳ溶液（リン酸緩衝生理食塩水）を濾過した。濾過時間は４５分を要した。
【００５８】
その結果、濾液の量は０．５ｍｌであり、濾液に含まれる細胞数は５×１０２個以下であった。一方、回収液の量は１．５ｍｌであり、回収液に含まれる細胞数は、０．２７×１０５個であった。これにより、濾過前のＰＢＳ溶液に対して、濃縮率が０．６７倍であり、細胞回収率が１７％であることを確認した。
【００５９】
その後、比較例に係る濾過フィルタデバイスを分解して、濾過フィルタ２、流体流入路３１ａの内周面３１ｂ、流体排出路３２ａの内周面３２ｂを顕微鏡で観察した。
【００６０】
その結果、濾過フィルタ２の複数の貫通孔２１ｃに細胞が捕捉されていることを観察した。一方、流体流入路３１ａの内周面３１ｂ及び流体排出路３２ａの内周面３２ｂには、大量の細胞の付着が観察された。
【００６１】
（結論）
以上により、実施例に係る濾過フィルタデバイスが濾過対象物の付着防止効果を有することが確認された。
【００６２】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００６３】
本発明は、濾過対象物の濾過効率を向上させることができるので、生物由来物質やＰＭ２．５などの流体に含まれる濾過対象物を濾過する濾過フィルタデバイスに有用である。
【符号の説明】
【００６４】
１    濾過フィルタデバイス
２    濾過フィルタ
２ａ，２ｂ  主面
３    ハウジング
２１    金属製多孔膜
２１ａ，２１ｂ  主面
２１ｃ  貫通孔
３１    第１ハウジング部
３１ａ  流体流入路
３１ｂ  内周面
３１ｃ  波状の凹凸
３１ｄ  畝部
３１ｅ  谷部
３２    第２ハウジング部
３２ａ  流体排出路
３２ｂ  内周面
５０    環状部材
【図１】
2017141610.tif 000003
【図２】
2017141610.tif 000004
【図３】
2017141610.tif 000005
【図４】
2017141610.tif 000006
【図５】
2017141610.tif 000007
【図６】
2017141610.tif 000008
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
流体に含まれる濾過対象物を濾過する濾過フィルタと、
前記濾過フィルタを内包し、前記濾過フィルタの一方の主面に対向するように設けられた流体流入路と、前記濾過フィルタの他方の主面に対向するように設けられた流体排出路とを有するハウジングと、
を備える濾過フィルタデバイスであって、
前記流体流入路及び前記流体排出路の少なくとも一方の内周面には、周方向に波状の凹凸が設けられ、
前記波状の凹凸は、少なくとも前記濾過フィルタに接する部分に設けられている、
濾過フィルタデバイス。
【請求項２】
前記波状の凹凸は、畝部と谷部とが交互に繰り返されることにより形成され、
前記畝部及び前記谷部は、前記流体の流れ方向に沿うように形成されている、
請求項１に記載の濾過フィルタデバイス。
【請求項３】
前記畝部と前記谷部の配置間隔は、前記濾過対象物の平均粒子径より小さい、請求項２に記載の濾過フィルタデバイス。
【請求項４】
前記畝部と前記谷部の配置間隔は、前記濾過フィルタに設けられた前記濾過対象物を濾過するための貫通孔の間隔以下である、請求項２に記載の濾過フィルタデバイス。
【請求項５】
前記谷部は、前記濾過フィルタに設けられた前記濾過対象物を濾過するための貫通孔に対応する位置に設けられている、請求項２に記載の濾過フィルタデバイス。
【請求項６】
前記流体流入路及び前記流体排出路の少なくとも一方は、複数の流路に区画され、
前記複数の流路の少なくとも１つの内周面には、周方向に波状の凹凸が設けられている、請求項１〜５にいずれか１つに記載の濾過フィルタデバイス。
【国際調査報告】
2017141610.tif 000009
2017141610.tif 000010
2017141610.tif 000011
2017141610.tif 000012